(57)【要約】      （修正有）【課題】壁への洗浄液付着を少なくし、未洗浄部分を生じることのない床面の清掃方法の提供。【解決手段】第２経路ｂから第１経路a側に洗浄液が流動するように洗浄液を供給しつつ往路側の洗浄を行う洗浄作業と、第３経路ｃを第４経路ｄ側に洗浄液が流動するように帰路側の洗浄を行う第１工程と、第１経路aを洗浄液の供給を行わずかつ先に流動していた洗浄液を第２経路ｂ側に流動する如く往路側の洗浄を行う洗浄作業と、第４経路ｄを第５経路e側に洗浄液が流動するように帰路側の洗浄を行う第２工程と、第２経路ｂを洗浄液の供給を行わずかつ先に流動していた洗浄液を第３経路ｃ側に流動する如く往路側の洗浄を行う洗浄作業と、第６経路ｆを第７経路ｇ側に洗浄液が流動するように帰路側の洗浄を行う洗浄作業とからなる第３工程と、順次、前記第３工程のパターンで残り全面を清掃するようにした床面の清掃方法。【選択図】図１
2006026297.tif 000002
【特許請求の範囲】
【請求項１】
床面中の矩形の清掃領域を、所定の経路に沿ってポリシャーを順次移動し清掃する床面の清掃方法において、
第２経路から第１経路側に洗浄液が流動するように洗浄液を供給しつつ前記ポリシャーを移動させ往路側の洗浄を行う洗浄作業と、下方に折り返して第３経路を第４経路側に洗浄液が流動するように洗浄液を供給しつつ前記ポリシャーを移動させ帰路側の洗浄を行う洗浄作業とからなる第１工程と、上方に移動して第１経路を洗浄液の供給を行わずかつ先に流動していた洗浄液を第２経路側に流動する如く操作してポリシャーを移動させ往路側の洗浄を行う洗浄作業と、下方に折り返して第４経路を第５経路側に洗浄液が流動するように洗浄液を供給しつつ前記ポリシャーを移動させ帰路側の洗浄を行う洗浄作業とからなる第２工程と、上方に移動して第２経路を洗浄液の供給を行わずかつ先に流動していた洗浄液を第３経路側に流動する如く操作してポリシャーを移動させ往路側の洗浄を行う洗浄作業と、下方に折り返して第６経路を第７経路側に洗浄液が流動するように洗浄液を供給しつつ前記ポリシャーを移動させ帰路側の洗浄を行う洗浄作業とからなる第３工程と、順次、前記第３工程のパターンで残りの経路にポリシャーを移動させ清掃領域の全面を清掃するようにした床面の清掃方法。
【請求項２】
前記第２工程以降の帰路側作業時、この作業経路内に洗浄剤が流動している場合、洗浄剤の供給を行わないようにしたことを特徴とする請求項１記載の床面の清掃方法。
【発明の詳細な説明】
【技術分野】
【０００１】
本発明は、床面中の矩形の清掃領域を清掃する床面の清掃方法に関する。
【背景技術】
【０００２】
従来、平面かつ矩形の床面を備えた清掃領域を清掃する清掃方法としては、所定壁面に対向して平行に第１の経路を洗浄液を供給しつつポリシャーにより洗浄しながら往路移動し、次に、折り返しながら下方に移動して第２の経路を洗浄液を供給しつつポリシャーにより洗浄しながら帰路移動し、このパターンを下方の経路に順次継続して行い床面の全域を清掃する清掃方法が主として行われていた（例えば、特許文献１参照）。
【特許文献１】特開平５−１５８５３６号公報（段落番号０００８、図１）
【発明の開示】
【発明が解決しようとする課題】
【０００３】
前述した従来の清掃方法では、洗浄液を供給しながら即座に床面の清掃を行うため、洗浄液による床面の汚れを浮き出させる前の作業となり床面を綺麗に清掃することはできなかった。また、最初の洗浄が壁に近接したところから始めるため、洗浄液が壁に付着し清掃後に壁の清掃もしなければならないという問題があった。また、往路、帰路を１経路毎に繰り返し行うため、この折り返し部分にポリシャーのかからない未洗浄部分が生じるという問題があった。更に、全ての経路で洗浄液の供給が行われるため洗浄液が過剰となり経費の無駄を生じるばかりかこの洗浄液を回収するための作業にも支障をきたすという問題があった。
【０００４】
本発明は、上述した従来技術における実情からなされたもので、その第１の目的は、綺麗な清掃が行われ、かつ、壁に洗浄液が付着するのを少なくして壁の清掃作業を軽減し、未洗浄部分を生じることのない床面の清掃方法を提供することにある。
【０００５】
第２の目的として、洗浄液の利用量を削減することのできる床面の清掃方法を提供することにある。
【課題を解決するための手段】
【０００６】
前記目的を達成するために、本発明の請求項１では、床面中の矩形の清掃領域を、所定の経路に沿ってポリシャーを順次移動し清掃する床面の清掃方法において、第２経路から第１経路側に洗浄液が流動するように洗浄液を供給しつつ前記ポリシャーを移動させ往路側の洗浄を行う洗浄作業と、下方に折り返して第３経路を第４経路側に洗浄液が流動するように洗浄液を供給しつつ前記ポリシャーを移動させ帰路側の洗浄を行う洗浄作業とからなる第１工程と、上方に移動して第１経路を洗浄液の供給を行わずかつ先に流動していた洗浄液を第２経路側に流動する如く操作してポリシャーを移動させ往路側の洗浄を行う洗浄作業と、下方に折り返して第４経路を第５経路側に洗浄液が流動するように洗浄液を供給しつつ前記ポリシャーを移動させ帰路側の洗浄を行う洗浄作業とからなる第２工程と、上方に移動して第２経路を洗浄液の供給を行わずかつ先に流動していた洗浄液を第３経路側に流動する如く操作してポリシャーを移動させ往路側の洗浄を行う洗浄作業と、下方に折り返して第６経路を第７経路側に洗浄液が流動するように洗浄液を供給しつつ前記ポリシャーを移動させ帰路側の洗浄を行う洗浄作業とからなる第３工程と、順次、前記第３工程のパターンで残りの経路にポリシャーを移動させ清掃領域の全面を清掃するようにした床面の清掃方法としている。
【０００７】
また、請求項２では、第２工程以降の帰路側作業時、この作業経路内に洗浄剤が流動している場合、洗浄剤の供給を行わないようにして清掃領域の全面を清掃するようにした床面の清掃方法としている。
【発明の効果】
【０００８】
本発明の請求項１では、第２経路から第１経路側に洗浄液が流動するように洗浄液を供給しつつ前記ポリシャーを移動させ往路側の洗浄を行うため、壁に洗浄液が付着するのを少なくすることができる。また、最初の往路側の作業以外の往路側の作業時は、洗浄液が所定時間置かれた後の作業であるため、床面の汚れは洗浄液によって浮き出されており綺麗な清掃面とすることができる。更に、帰路側から往路側に往路側から帰路側に移動時、１経路跳びに上方、下方へとポリシャーを移動させるためポリシャー折り返しに伴う未洗浄部分を生じることがない。
【０００９】
また、本発明の請求項２では、第３工程以降の帰路側作業時、この作業経路内に洗浄剤が流動している場合、洗浄剤の供給を行わないようにして清掃領域の全面を清掃するようにしたため、洗浄液の使用量を大幅に削減することができる。
【発明を実施するための最良の形態】
【００１０】
以下、本発明に係る床面の清掃方法の実施形態を図に基づいて説明する。
【００１１】
図１は本発明の一実施形態になる床面の清掃方法を示す平面図である。図において、Aは平面かつ矩形の床面で、周囲が壁B〜Eにより囲われている。a〜ｎは壁Bからポリシャーの作業幅に従って順次区分された作業経路である。１〜１１ポリシャーの移動順番を示した洗浄作業経路である。
【００１２】
通常のポリシャー（図示せず）により清掃作業を始めるに当たり、まずポリシャーをスタートSに位置させ、ポリシャーのパッドを左回転させ、第２経路ｂから第１経路a側に洗浄液が流動するように洗浄液を供給しつつ前記ポリシャーを移動させ往路側の洗浄作業１を行う。この時の洗浄液の供給は特別な方法によるものではなく、パッドの回転による飛散および遠心力による外側への送り出しによってポリシャーのパッドの外周から洗浄液の一部が第1経路a側へと流動する。ポリシャーが第2経路ｂの左端（図１において）にきたら下方（図１において）にポリシャーを移動し、折り返して第３経路ｃを第４経路ｄ側に洗浄液が流動するように洗浄液を供給しつつ前記ポリシャーを移動させ帰路側の洗浄作業２を行う。この時の洗浄液の供給も特別な方法によるものではなく通常の供給方法で洗浄液の一部はポリシャー下方に、洗浄液の一部はパッドの回転による飛散および遠心力による外側への送り出しによってポリシャーのパッドの外周から第４経路ｄ側へと流動する。この時の往路、帰路を第１工程という。
【００１３】
次に、ポリシャーが第３経路ｃの右端（図１において）にきたら上方（図１において）の第１経路aまで移動し、この第１経路aを洗浄液の供給を行わずかつ先に流動していた洗浄液をポリシャーのパッドの左回転を利用して第２経路ｂ側に流動する如く操作してポリシャーを移動させ往路側の洗浄作業３を行う。この第1経路aの洗浄作業時、第1経路a上にある洗浄液は、第２経路ｂの洗浄時のものであるから、第２経路ｂおよび第３経路ｃを洗浄するに要する時間が経過しているため、床面の汚れが浮き出されており、綺麗な清掃を行うことができる。
【００１４】
次に、ポリシャーが第１経路aの左端（図１において）にきたら下方（図１において）に折り返して第４経路ｄを第５経路e側に洗浄液が流動するように洗浄液を供給しつつ前記ポリシャーを移動させ帰路側の洗浄作業４を行う。この時の往路、帰路を第２工程という。次に、ポリシャーが第４経路ｄの右端（図１において）にきたら上方（図１において）に移動して第２経路ｂを洗浄液の供給を行わずかつ先に流動していた洗浄液を第３経路ｃ側に流動する如く操作してポリシャーを移動させ往路側の洗浄作業５を行う。次に、ポリシャーが第２経路ｂの左端（図１において）にきたら下方（図１において）に折り返して第６経路ｆを第７経路ｇ側に洗浄液が流動するように洗浄液を供給しつつ前記ポリシャーを移動させ帰路側の洗浄作業６を行う。この時の往路、帰路の洗浄作業を第３工程という。そして、順次、この第３工程のパターンで残りの経路ｃ〜ｎにポリシャーを移動させ清掃領域の全面を清掃する。
【００１５】
本実施形態によれば、第２経路ｂから第１経路a側に洗浄液が流動するように洗浄液を供給しつつ前記ポリシャーを移動させ往路側の洗浄を行うため、壁Bに洗浄液が付着するのを少なくすることができる。また、最初の往路側の作業以外の往路側の洗浄作業５、７、９などは、洗浄液が流動によって塗布されてから所定時間（経路ａ〜経路ｎのうちの２つの経路を洗浄するに要する時間）経過した後の作業であるため、床面の汚れは洗浄液によって浮き出されており綺麗な清掃面とすることができる。更に、帰路側から往路側に往路側から帰路側に移動時、１経路または2経路を跳び越えて（例えば、第１経路ａから第４経路ｄ、第３経路ｃから第１経路aなど）図１における上方、下方へとポリシャーを移動させるためポリシャー折り返しに伴う未洗浄部分を生じることがない。
【００１６】
各経路の洗浄順の循環方向と、ポリシャーのパッドの回転方向とを一致させ、かつ洗浄液の供給は復路側だけとし、往路側（スタート点から１つ目の往路を除く）は供給しないようにしたので、洗浄液を洗浄が進行する方向、実施形態では図１の下方に順次移動させていくことができ、洗浄液の供給量を少なくするとともに、洗浄が終了した領域に、洗浄液がだぶつくことがなく、洗浄液の除去、回収作業を短縮できる。
【００１７】
第２工程以降の帰路側作業時、この作業経路内に洗浄剤が流動している場合、洗浄剤の供給を行わないようにして清掃領域の全面を清掃するようにしてもよく、この場合、洗浄液の使用量を大幅に削減することができる。
【００１８】
なお、上記実施形態においては、矩形の床面について説明したが、床面が矩形でない場合には、ほぼ矩形の範囲を清掃領域とし、この矩形の清掃領域を上述した方法により清掃すれば、床面が矩形でない場合でも本発明の清掃方法を適用でき、効率的な清掃が可能となる。
【００１９】
また、ポリシャーのパッドの回転方向を左回転としたのは、各経路の洗浄順が左循環であるからであり、各経路の洗浄順が右循環であれば、ポリシャーのパッドの回転方向は右回転となる。
【図面の簡単な説明】
【００２０】
【図１】本発明の一実施形態になる清掃方法を示す平面図である。
【符号の説明】
【００２１】
A        床面
B〜E     壁
A〜ｎ    作業経路
１〜１１  洗浄作業経路
【図１】
2006026297.tif 000003